【手続補正書】
【提出日】平成26年7月29日(2014.7.29)
【手続補正１】
【補正対象書類名】特許請求の範囲
【補正対象項目名】全文
【補正方法】変更
【補正の内容】
【特許請求の範囲】
【請求項１】
ビルセンサデータを分析する方法であって、前記方法は、
ビルのビルセンサデータを受信することであって、前記データは、複数のセンサに対する複数の経時的な値を備えている、ことと、
前記複数のセンサのうちの各センサに関連付けられている位相および大きさの値であって、前記位相および大きさの値は、前記ビルセンサデータに適用されるスペクトル分析法に基づいている、位相および大きさの値、および、
前記複数のセンサのうちの各センサに関連付けられているエネルギーの値であって、前記エネルギーの値は、前記ビルセンサデータに適用されるエネルギーベースの技法に基づいている、エネルギーの値
のうちの少なくとも１つを決定することと、
複数のセンサに関連付けられている前記位相、大きさ、またはエネルギーの値のうちの少なくとも１つに基づいて、視覚化を生成するタスクであって、前記視覚化は、ビルの間取り図上のオーバーレイを備え、前記オーバーレイは、複数のセンサに関連付けられている前記位相、大きさ、またはエネルギーの値のうちの少なくとも１つを描写する、タスク、および、
複数のセンサに関連付けられている前記位相、大きさ、またはエネルギーの値のうちの少なくとも１つに基づいて、アクチュエータを作動すべき時間、または、作動停止すべき時間を決定するタスク
のうちの少なくとも１つを実施することと
を含み、
前記方法は、１つ以上のコンピュータデバイスを備えているコンピュータシステムによって実施される、方法。
【請求項２】
前記スペクトル分析法は、コープマンベースの技法を含む、請求項１に記載の方法。
【請求項３】
前記エネルギーベースの技法は、固有直交分解を含む、請求項１に記載の方法。
【請求項４】
前記ビルセンサデータは、実在のビルからのデータと、前記ビルのシミュレートされたモデルからのデータとを備え、前記方法は、実在のビルのセンサデータから取得された少なくとも１つのコープマンモード振幅または位相を、シミュレートされたモデルのセンサデータから取得された少なくとも１つのコープマンモード振幅または位相と比較することをさらに含む、請求項１に記載の方法。
【請求項５】
前記複数の経時的な値は、温度値、湿度値、空気流値、圧力値、人口占有率値、プラグ負荷密度値、および光強度値のうちの１つを備えている、請求項１に記載の方法。
【請求項６】
前記位相、大きさ、またはエネルギーの値のうちの前記少なくとも１つに基づいて、関心最終出力を識別することと、
前記位相、大きさ、またはエネルギーの値のうちの前記少なくとも１つに基づいて、前記関心最終出力に影響を及ぼす複数の入力を識別することと、
前記最終出力および前記最終出力に影響を及ぼす複数の入力をグラフとして表すことと
をさらに含み、
前記グラフは、前記最終出力に影響を及ぼす複数の入力からの第１の入力と前記最終出力との間のエッジを備え、前記エッジの太さは、前記関心最終出力に対する前記第１の入力の影響に対応している、請求項１に記載の方法。
【請求項７】
ビルの特性を評価するための電子装置であって、前記電子装置は、
データセットを記憶するように構成されているメモリであって、前記データセットは、ビルセンサデータを備え、前記ビルセンサデータは、複数のセンサに対する複数の経時的な値を備えている、メモリと、
１つ以上のプロセッサと、
メモリに記憶されるソフトウェアと
を備え、
前記ソフトウェアは、前記データセットに基づいて、
前記複数のセンサのうちの各センサに関連付けられている位相および大きさの値であって、前記位相および大きさの値は、前記ビルセンサデータに適用されるスペクトル分析法に基づいている、位相および大きさの値、および、
前記複数のセンサのうちの各センサに関連付けられているエネルギーの値であって、前記エネルギーの値は、前記ビルセンサデータに適用されるエネルギーベースの技法に基づいている、エネルギーの値
のうちの少なくとも１つを決定することを前記１つ以上のプロセッサに行わせるように構成され、
前記ソフトウェアは、
複数のセンサに関連付けられている前記位相、大きさ、またはエネルギーの値のうちの少なくとも１つに基づいて、視覚化を生成するタスクであって、前記視覚化は、ビルの間取り図上のオーバーレイを備え、前記オーバーレイは、複数のセンサに関連付けられている前記位相、大きさ、またはエネルギーの値のうちの少なくとも１つを描写する、タスク、および、
複数のセンサに関連付けられている前記位相、大きさ、またはエネルギーの値のうちの少なくとも１つに基づいて、アクチュエータを作動すべき時間、または、作動停止すべき時間を決定するタスク
のうちの少なくとも１つを実施することを前記１つ以上のプロセッサに行わせるようにさらに構成されている、電子装置。
【請求項８】
前記スペクトル分析法は、コープマンベースの技法を含む、請求項７に記載の電子装置。
【請求項９】
前記エネルギーベースの技法は、固有直交分解を含む、請求項７に記載の電子装置。
【請求項１０】
前記ビルセンサデータは、実在のビルからのデータと、前記ビルのシミュレートされたモデルからのデータとを備え、前記方法は、実在のビルのセンサデータから取得された少なくとも１つのコープマンモード振幅または位相を、シミュレートされたモデルのセンサデータから取得された少なくとも１つのコープマンモード振幅または位相と比較することをさらに含む、請求項７に記載の電子装置。
【請求項１１】
前記複数の経時的な値は、温度値、湿度値、空気流値、圧力値、人口占有率値、プラグ負荷密度値、および光強度値のうちの１つを備えている、請求項７に記載の電子装置。
【請求項１２】
前記ソフトウェアは、
前記位相、大きさ、またはエネルギーの値のうちの前記少なくとも１つに基づいて、関心最終出力を識別することと、
前記位相、大きさ、またはエネルギーの値のうちの前記少なくとも１つに基づいて、前記関心最終出力に影響を及ぼす複数の入力を識別することと、
前記最終出力および前記最終出力に影響を及ぼす複数の入力をグラフとして表すことと
を前記１つ以上のプロセッサに行わせるようにさらに構成され、
前記グラフは、前記最終出力に影響を及ぼす複数の入力からの第１の入力と前記最終出力との間のエッジを備え、前記エッジの太さは、前記関心最終出力に対する前記第１の入力の影響に対応している、請求項７に記載の電子装置。
【請求項１３】
過程を実施するようにコンピュータシステムに指図する命令を備えている非一過性のコンピュータ記憶装置であって、前記過程は、
ビルのビルセンサデータを受信することであって、前記データは、複数のセンサに対する複数の経時的な値を備えている、ことと、
前記複数のセンサのうちの各センサに関連付けられている位相および大きさの値であって、前記位相および大きさの値は、前記ビルセンサデータに適用されるスペクトル分析法に基づいている、位相および大きさの値、および、
前記複数のセンサのうちの各センサに関連付けられているエネルギーの値であって、前記エネルギーの値は、前記ビルセンサデータに適用されるエネルギーベースの技法に基づいている、エネルギーの値
のうちの少なくとも１つを決定することと、
複数のセンサに関連付けられている前記位相、大きさ、またはエネルギーの値のうちの少なくとも１つに基づいて、視覚化を生成するタスクであって、前記視覚化は、ビルの間取り図上のオーバーレイを備え、前記オーバーレイは、複数のセンサに関連付けられている前記位相、大きさ、またはエネルギーの値のうちの少なくとも１つを描写する、タスク、および、
複数のセンサに関連付けられている前記位相、大きさ、またはエネルギーの値のうちの少なくとも１つに基づいて、アクチュエータを作動すべき時間、または、作動停止すべき時間を決定するタスク
のうちの少なくとも１つを実施することと
を含み、
前記方法は、１つ以上のコンピュータデバイスを備えているコンピュータシステムによって実施される、非一過性のコンピュータ記憶装置。
【請求項１４】
ビルの特性を評価するための電子装置であって、前記電子装置は、
データセットを記憶する手段であって、前記データセットは、ビルセンサデータを備え、前記ビルセンサデータは、複数のセンサに対する複数の経時的な値を備えている、手段と、
処理手段と
を備え、
前記処理手段は、前記データセットに基づいて、
前記複数のセンサのうちの各センサに関連付けられている位相および大きさの値であって、前記位相および大きさの値は、前記ビルセンサデータに適用されるスペクトル分析法に基づいている、位相および大きさの値、および、
前記複数のセンサのうちの各センサに関連付けられているエネルギーの値であって、前記エネルギーの値は、前記ビルセンサデータに適用されるエネルギーベースの技法に基づいている、エネルギーの値
のうちの少なくとも１つを決定するように構成され、
前記処理手段は、
複数のセンサに関連付けられている前記位相、大きさ、またはエネルギーの値のうちの少なくとも１つに基づいて、視覚化を生成するタスクであって、前記視覚化は、ビルの間取り図上のオーバーレイを備え、前記オーバーレイは、複数のセンサに関連付けられている前記位相、大きさ、またはエネルギーの値のうちの少なくとも１つを描写する、タスク、および、
複数のセンサに関連付けられている前記位相、大きさ、またはエネルギーの値のうちの少なくとも１つに基づいて、アクチュエータを作動すべき時間、または、作動停止すべき時間を決定するタスク
のうちの少なくとも１つを実施するようにさらに構成されている、電子装置。
【請求項１５】
前記処理手段は、１つ以上のプロセッサを備えている、請求項１４に記載の電子装置。
【請求項１６】
ビルにおける影響要因を表す方法であって、
関心最終出力を識別することと、
前記関心最終出力に影響を及ぼす複数の入力を識別することと、
前記最終出力および前記最終出力に影響を及ぼす複数の入力をグラフとして表すことであって、前記グラフは、前記最終出力に影響を及ぼす複数の入力からの第１の入力と前記最終出力との間のエッジを備え、前記エッジの太さは、前記関心最終出力に対する前記第１の入力の影響に対応している、ことと
を含み、
前記方法は、１つ以上のコンピュータデバイスを備えているコンピュータシステムによって実施される、方法。
【請求項１７】
前記最終出力に影響を及ぼす複数の入力のうちの少なくとも１つの表現は、円を備え、前記円は、前記複数の入力のうちの前記少なくとも１つの不確実性を図示する、請求項１６に記載の方法。
【請求項１８】
前記関心最終出力に影響を及ぼす複数の入力を識別することは、前記第１の入力に対する複数の値を決定することと、前記第１の入力が前記複数の値の各々に設定された場合の前記出力に対する影響をモデル化することとを含む、請求項１６に記載の方法。
【請求項１９】
前記関心最終出力に対する前記第１の入力の影響は、準モンテカルロ法を使用して決定される、請求項１８に記載の方法。
【請求項２０】
前記関心最終出力は、家庭用温水エネルギー、空調利用、特定の部屋に対する電気利用、ポンプ、ファン利用、照明システム利用、冷却装置利用、および冷却システム使用のうちの少なくとも１つを備えている、請求項１６に記載の方法。
【請求項２１】
ビルにおける影響要因を表すための電子装置であって、前記電子装置は、１つ以上のプロセッサを備え、
前記１つ以上のプロセッサは、
関心最終出力を識別することと、
前記関心最終出力に影響を及ぼす複数の入力を識別することと、
前記最終出力および前記最終出力に影響を及ぼす複数の入力をグラフとして表すことと
を行うように構成され、
前記グラフは、前記最終出力に影響を及ぼす複数の入力からの第１の入力と前記最終出力との間のエッジを含み、前記エッジの太さは、前記関心最終出力に対する前記第１の入力の影響に対応している、電子装置。
【請求項２２】
前記最終出力に影響を及ぼす複数の入力のうちの少なくとも１つの表現は、円を備え、前記円は、前記複数の入力のうちの前記少なくとも１つの不確実性を図示する、請求項２１に記載の電子装置。
【請求項２３】
前記関心最終出力に影響を及ぼす複数の入力を識別することは、前記第１の入力に対する複数の値を決定することと、前記第１の入力が前記複数の値の各々に設定された場合の前記出力に対する影響をモデル化することとを含む、請求項２１に記載の電子装置。
【請求項２４】
前記関心最終出力に対する前記第１の入力の影響は、準モンテカルロ法を使用して決定される、請求項２３に記載の電子装置。
【請求項２５】
前記関心最終出力は、家庭用温水エネルギー、空調利用、特定の部屋に対する電気利用、ポンプ、ファン利用、照明システム利用、冷却装置利用、および冷却システム使用のうちの少なくとも１つを備えている、請求項２１に記載の電子装置。
【請求項２６】
過程を実施するようにコンピュータシステムに指図する命令を備えている非一過性のコンピュータ記憶装置であって、前記過程は、
関心最終出力を識別することと、
前記関心最終出力に影響を及ぼす複数の入力を識別することと、
前記最終出力および前記最終出力に影響を及ぼす複数の入力をグラフとして表すことと
を含み、
前記グラフは、前記最終出力に影響を及ぼす複数の入力からの第１の入力と前記最終出力との間のエッジを含み、前記エッジの太さは、前記関心最終出力に対する前記第１の入力の影響に対応し、
前記方法は、１つ以上のコンピュータデバイスを備えているコンピュータシステムによって実施される、非一過性のコンピュータ記憶装置。
【請求項２７】
ビルにおける影響要因を表すための電子装置であって、電子装置は、処理する手段を備え、前記処理する手段は、
関心最終出力を識別することと、
前記関心最終出力に影響を及ぼす複数の入力を識別することと、
前記最終出力および前記最終出力に影響を及ぼす複数の入力をグラフとして表すことと
を行うように構成され、
前記グラフは、前記最終出力に影響を及ぼす複数の入力からの第１の入力と前記最終出力との間のエッジを含み、前記エッジの太さは、前記関心最終出力に対する前記第１の入力の影響に対応している、電子装置。
【請求項２８】
前記処理手段は、プロセッサを備えている、請求項２７に記載の電子装置。
【手続補正２】
【補正対象書類名】明細書
【補正対象項目名】０００７
【補正方法】変更
【補正の内容】
【０００７】
ビルセンサ情報を分析し、その中の情報を、より管理可能でより有用な形態に分解するためのシステムおよび方法を開示する。ある実施形態は、ビル挙動のより総合的な視点を達成するために、エネルギーベースおよびスペクトルベースの分析方法を、パラメータサンプリングおよび不確実性／感度分析と一体化させる。この分析の結果は、複数の視覚化を介してユーザに提示され、および／またはあるビル操作を自動的に調整するために使用され得る。ある実施形態では、コープマンベースの演算を含む、高度スペクトル技法が、収集されたビルセンサデータからの特徴を識別するために採用される。
本願明細書は、例えば、以下の項目も提供する。
（項目１）
ビルセンサデータを分析する方法であって、前記方法は、
ビルのビルセンサデータを受信することであって、前記データは、複数のセンサに対する複数の経時的な値を備えている、ことと、
前記複数のセンサのうちの各センサに関連付けられている位相および大きさの値であって、前記位相および大きさの値は、前記ビルセンサデータに適用されるスペクトル分析法に基づいている、位相および大きさの値、および、
前記複数のセンサのうちの各センサに関連付けられているエネルギーの値であって、前記エネルギーの値は、前記ビルセンサデータに適用されるエネルギーベースの技法に基づいている、エネルギーの値
のうちの少なくとも１つを決定することと、
複数のセンサに関連付けられている前記位相、大きさ、またはエネルギーの値のうちの少なくとも１つに基づいて、視覚化を生成するタスクであって、前記視覚化は、ビルの間取り図上のオーバーレイを備え、前記オーバーレイは、複数のセンサに関連付けられている前記位相、大きさ、またはエネルギーの値のうちの少なくとも１つを描写する、タスク、および
複数のセンサに関連付けられている前記位相、大きさ、またはエネルギーの値のうちの少なくとも１つに基づいて、アクチュエータを作動すべき時間、または、作動停止すべき時間を決定するタスク
のうちの少なくとも１つを実施することと
を含み、
前記方法は、１つ以上のコンピュータデバイスを備えているコンピュータシステムによって実施される、方法。
（項目２）
前記方法は、前記ビルセンサデータに適用されるスペクトル分析法に基づいて、前記複数のセンサのうちの各センサに関連付けられている位相および大きさの値を決定することを含む、項目１に記載の方法。
（項目３）
前記方法は、前記ビルセンサデータに適用されるエネルギーベースの技法に基づいて、各センサに関連付けられているエネルギーの値を決定することを含む、項目１に記載の方法。
（項目４）
前記方法は、複数のセンサに関連付けられている前記位相、大きさ、またはエネルギーの値のうちの少なくとも１つに基づいて、前記視覚化を生成するタスクを実施することを含み、前記視覚化は、ビルの間取り図上のオーバーレイを備え、前記オーバーレイは、複数のセンサに関連付けられている前記位相、大きさ、またはエネルギーの値のうちの少なくとも１つを描写する、項目１に記載の方法。
（項目５）
前記方法は、複数のセンサに関連付けられている前記位相、大きさ、またはエネルギーの値のうちの少なくとも１つに基づいて、前記アクチュエータを作動すべき時間、または、作動停止すべき時間を決定するタスクを実施することを含む、項目１に記載の方法。
（項目６）
前記スペクトル分析法は、コープマンベースの技法を含む、項目２に記載の方法。
（項目７）
前記エネルギーベースの技法は、固有直交分解を含む、項目３に記載の方法。
（項目８）
前記ビルセンサデータは、実在のビルからのデータと、前記ビルのシミュレートされたモデルからのデータとを備え、前記方法は、実在のビルのセンサデータから取得された少なくとも１つのコープマンモード振幅または位相を、シミュレートされたモデルのセンサデータから取得された少なくとも１つのコープマンモード振幅または位相と比較することをさらに含む、項目２に記載の方法。
（項目９）
前記複数の経時的な値は、温度値、湿度値、空気流値、圧力値、人口占有率値、プラグ負荷密度値、および光強度値のうちの１つを備えている、項目１に記載の方法。
（項目１０）
前記位相、大きさ、またはエネルギーの値のうちの前記少なくとも１つに基づいて、関心最終出力を識別することと、
前記位相、大きさ、またはエネルギーの値のうちの前記少なくとも１つに基づいて、前記関心最終出力に影響を及ぼす複数の入力を識別することと、
前記最終出力および前記最終出力に影響を及ぼす複数の入力をグラフとして表すことと
をさらに含み、
前記グラフは、前記最終出力に影響を及ぼす複数の入力からの第１の入力と前記最終出力との間のエッジを備え、前記エッジの太さは、前記関心最終出力に対する前記第１の入力の影響に対応している、
項目１に記載の方法。
（項目１１）
ビルの特性を評価するための電子装置であって、前記電子装置は、
データセットを記憶するように構成されているメモリであって、前記データセットは、ビルセンサデータを備え、前記ビルセンサデータは、複数のセンサに対する複数の経時的な値を備えている、メモリと、
１つ以上のプロセッサと、
メモリに記憶されるソフトウェアと
を備え、
前記ソフトウェアは、前記データセットに基づいて、
前記複数のセンサのうちの各センサに関連付けられている位相および大きさの値であって、前記位相および大きさの値は、前記ビルセンサデータに適用されるスペクトル分析法に基づいている、位相および大きさの値、および、
前記複数のセンサのうちの各センサに関連付けられているエネルギーの値であって、前記エネルギーの値は、前記ビルセンサデータに適用されるエネルギーベースの技法に基づいている、エネルギーの値
のうちの少なくとも１つを決定することを前記１つ以上のプロセッサに行わせるように構成され、
前記ソフトウェアは、
複数のセンサに関連付けられている前記位相、大きさ、またはエネルギーの値のうちの少なくとも１つに基づいて、視覚化を生成するタスクであって、前記視覚化は、ビルの間取り図上のオーバーレイを備え、前記オーバーレイは、複数のセンサに関連付けられている前記位相、大きさ、またはエネルギーの値のうちの少なくとも１つを描写する、タスク、および
複数のセンサに関連付けられている前記位相、大きさ、またはエネルギーの値のうちの少なくとも１つに基づいて、アクチュエータを作動すべき時間、または、作動停止すべき時間を決定するタスク
のうちの少なくとも１つを実施することを前記１つ以上のプロセッサに行わせるようにさらに構成されている、
電子装置。
（項目１２）
前記１つ以上のプロセッサは、前記ビルセンサデータに適用されるスペクトル分析法に基づいて、前記複数のセンサのうちの各センサに関連付けられている位相および大きさの値を決定する、項目１１に記載の電子装置。
（項目１３）
前記１つ以上のプロセッサは、前記ビルセンサデータに適用されるエネルギーベースの技法に基づいて、各センサに関連付けられているエネルギーの値を決定する、項目１１に記載の電子装置。
（項目１４）
前記１つ以上のプロセッサは、複数のセンサに関連付けられている前記位相、大きさ、またはエネルギーの値のうちの少なくとも１つに基づいて、前記視覚化を生成するタスクを実施し、前記視覚化は、ビルの間取り図上のオーバーレイを備え、前記オーバーレイは、複数のセンサに関連付けられている前記位相、大きさ、またはエネルギーの値のうちの少なくとも１つを描写する、項目１１に記載の電子装置。
（項目１５）
前記１つ以上のプロセッサは、複数のセンサに関連付けられている前記位相、大きさ、またはエネルギーの値のうちの少なくとも１つに基づいて、前記アクチュエータを作動すべき時間、または、作動停止すべき時間を決定するタスクを実施する、項目１１に記載の電子装置。
（項目１６）
前記スペクトル分析法は、コープマンベースの技法を含む、項目１２に記載の電子装置。
（項目１７）
前記エネルギーベースの技法は、固有直交分解を含む、項目１３に記載の電子装置。
（項目１８）
前記ビルセンサデータは、実在のビルからのデータと、前記ビルのシミュレートされたモデルからのデータとを備え、前記方法は、実在のビルのセンサデータから取得された少なくとも１つのコープマンモード振幅または位相を、シミュレートされたモデルのセンサデータから取得された少なくとも１つのコープマンモード振幅または位相と比較することをさらに含む、項目１２に記載の電子装置。
（項目１９）
前記複数の経時的な値は、温度値、湿度値、空気流値、圧力値、人口占有率値、プラグ負荷密度値、および光強度値のうちの１つを備えている、項目１１に記載の電子装置。
（項目２０）
前記ソフトウェアは、
前記位相、大きさ、またはエネルギーの値のうちの前記少なくとも１つに基づいて、関心最終出力を識別することと、
前記位相、大きさ、またはエネルギーの値のうちの前記少なくとも１つに基づいて、前記関心最終出力に影響を及ぼす複数の入力を識別することと、
前記最終出力および前記最終出力に影響を及ぼす複数の入力をグラフとして表すことと
を前記１つ以上のプロセッサに行わせるようにさらに構成され、
前記グラフは、前記最終出力に影響を及ぼす複数の入力からの第１の入力と前記最終出力との間のエッジを備え、前記エッジの太さは、前記関心最終出力に対する前記第１の入力の影響に対応している、項目１１に記載の電子装置。
（項目２１）
過程を実施するようにコンピュータシステムに指図する命令を備えている非一過性のコンピュータ記憶装置であって、前記過程は、
ビルのビルセンサデータを受信することであって、前記データは、複数のセンサに対する複数の経時的な値を備えている、ことと、
前記複数のセンサのうちの各センサに関連付けられている位相および大きさの値であって、前記位相および大きさの値は、前記ビルセンサデータに適用されるスペクトル分析法に基づいている、位相および大きさの値、および、
前記複数のセンサのうちの各センサに関連付けられているエネルギーの値であって、前記エネルギーの値は、前記ビルセンサデータに適用されるエネルギーベースの技法に基づいている、エネルギーの値
のうちの少なくとも１つを決定することと、
複数のセンサに関連付けられている前記位相、大きさ、またはエネルギーの値のうちの少なくとも１つに基づいて、視覚化を生成するタスクであって、前記視覚化は、ビルの間取り図上のオーバーレイを備え、前記オーバーレイは、複数のセンサに関連付けられている前記位相、大きさ、またはエネルギーの値のうちの少なくとも１つを描写する、タスク、および
複数のセンサに関連付けられている前記位相、大きさ、またはエネルギーの値のうちの少なくとも１つに基づいて、アクチュエータを作動すべき時間、または、作動停止すべき時間を決定するタスク
のうちの少なくとも１つを実施することと
を含み、
前記方法は、１つ以上のコンピュータデバイスを備えているコンピュータシステムによって実施される、非一過性のコンピュータ記憶装置。
（項目２２）
ビルの特性を評価するための電子装置であって、前記電子装置は、
データセットを記憶する手段であって、前記データセットは、ビルセンサデータを備え、前記ビルセンサデータは、複数のセンサに対する複数の経時的な値を備えている、手段と、
処理手段と
を備え、
前記処理手段は、前記データセットに基づいて、
前記複数のセンサのうちの各センサに関連付けられている位相および大きさの値であって、前記位相および大きさの値は、前記ビルセンサデータに適用されるスペクトル分析法に基づいている、位相および大きさの値、および、
前記複数のセンサのうちの各センサに関連付けられているエネルギーの値であって、前記エネルギーの値は、前記ビルセンサデータに適用されるエネルギーベースの技法に基づいている、エネルギーの値
のうちの少なくとも１つを決定するように構成され、
前記処理手段は、
複数のセンサに関連付けられている前記位相、大きさ、またはエネルギーの値のうちの少なくとも１つに基づいて、視覚化を生成するタスクであって、前記視覚化は、ビルの間取り図上のオーバーレイを備え、前記オーバーレイは、複数のセンサに関連付けられている前記位相、大きさ、またはエネルギーの値のうちの少なくとも１つを描写する、タスク、および
複数のセンサに関連付けられている前記位相、大きさ、またはエネルギーの値のうちの少なくとも１つに基づいて、アクチュエータを作動すべき時間、または、作動停止すべき時間を決定するタスク
のうちの少なくとも１つを実施するようにさらに構成されている、
電子装置。
（項目２３）
前記処理手段は、１つ以上のプロセッサを備えている、項目２２に記載の電子装置。
（項目２４）
ビルにおける影響要因を表す方法であって、
関心最終出力を識別することと、
前記関心最終出力に影響を及ぼす複数の入力を識別することと、
前記最終出力および前記最終出力に影響を及ぼす複数の入力をグラフとして表すことであって、前記グラフは、前記最終出力に影響を及ぼす複数の入力からの第１の入力と前記最終出力との間のエッジを備え、前記エッジの太さは、前記関心最終出力に対する前記第１の入力の影響に対応している、ことと
を含み、
前記方法は、１つ以上のコンピュータデバイスを備えているコンピュータシステムによって実施される、方法。
（項目２５）
前記最終出力に影響を及ぼす複数の入力のうちの少なくとも１つの表現は、円を備え、前記円は、前記複数の入力のうちの前記少なくとも１つの不確実性を図示する、項目２４に記載の方法。
（項目２６）
前記関心最終出力に影響を及ぼす複数の入力を識別することは、前記第１の入力に対する複数の値を決定することと、前記第１の入力が前記複数の値の各々に設定された場合の前記出力に対する影響をモデル化することとを含む、項目２４に記載の方法。
（項目２７）
前記関心最終出力に対する前記第１の入力の影響は、準モンテカルロ法を使用して決定される、項目２６に記載の方法。
（項目２８）
前記関心最終出力は、家庭用温水エネルギー、空調利用、特定の部屋に対する電気利用、ポンプ、ファン利用、照明システム利用、冷却装置利用、冷却システム使用のうちの少なくとも１つを備えている、項目２４に記載の方法。
（項目２９）
ビルにおける影響要因を表すための電子装置であって、前記電子装置は、１つ以上のプロセッサを備え、
前記１つ以上のプロセッサは、
関心最終出力を識別することと、
前記関心最終出力に影響を及ぼす複数の入力を識別することと、
前記最終出力および前記最終出力に影響を及ぼす複数の入力をグラフとして表すことと
を行うように構成され、
前記グラフは、前記最終出力に影響を及ぼす複数の入力からの第１の入力と前記最終出力との間のエッジを含み、前記エッジの太さは、前記関心最終出力に対する前記第１の入力の影響に対応している、電子装置。
（項目３０）
前記最終出力に影響を及ぼす複数の入力のうちの少なくとも１つの表現は、円を備え、前記円は、前記複数の入力のうちの前記少なくとも１つの不確実性を図示する、項目２９に記載の電子装置。
（項目３１）
前記関心最終出力に影響を及ぼす複数の入力を識別することは、前記第１の入力に対する複数の値を決定することと、前記第１の入力が前記複数の値の各々に設定された場合の前記出力に対する影響をモデル化することとを含む、項目２９に記載の電子装置。
（項目３２）
前記関心最終出力に対する前記第１の入力の影響は、準モンテカルロ法を使用して決定される、項目３１に記載の電子装置。
（項目３３）
前記関心最終出力は、家庭用温水エネルギー、空調利用、特定の部屋に対する電気利用、ポンプ、ファン利用、照明システム利用、冷却装置利用、冷却システム使用のうちの少なくとも１つを備えている、項目２９に記載の電子装置。
（項目３４）
過程を実施するようにコンピュータシステムに指図する命令を備えている非一過性のコンピュータ記憶装置であって、前記過程は、
関心最終出力を識別することと、
前記関心最終出力に影響を及ぼす複数の入力を識別することと、
前記最終出力および前記最終出力に影響を及ぼす複数の入力をグラフとして表すことと
を含み、
前記グラフは、前記最終出力に影響を及ぼす複数の入力からの第１の入力と前記最終出力との間のエッジを含み、前記エッジの太さは、前記関心最終出力に対する前記第１の入力の影響に対応し、
前記方法は、１つ以上のコンピュータデバイスを備えているコンピュータシステムによって実施される、非一過性のコンピュータ記憶装置。
（項目３５）
ビルにおける影響要因を表すための電子装置であって、電子装置は、処理する手段を備え、前記処理する手段は、
関心最終出力を識別することと、
前記関心最終出力に影響を及ぼす複数の入力を識別することと、
前記最終出力および前記最終出力に影響を及ぼす複数の入力をグラフとして表すことと
を行うように構成され、
前記グラフは、前記最終出力に影響を及ぼす複数の入力からの第１の入力と前記最終出力との間のエッジを含み、前記エッジの太さは、前記関心最終出力に対する前記第１の入力の影響に対応している、電子装置。
（項目３６）
前記処理手段は、プロセッサを備えている、項目３５に記載の電子装置。